(57)【特許請求の範囲】
【請求項１】
フレームと、該フレームの周囲に配設されブース空間を外部空間と仕切るシート材とを備え、シート材の側縁部のブース内側をフレームの支柱に止着部材により着脱可能に止着するようにしたブースにおいて、シート材の側縁部の端部をブース内側に折り返し、該折り返した折り返し片を止着部材によりフレームの支柱に止着するようにしたことを特徴とするブース。
【請求項２】
フレームと、該フレームの周囲に配設されブース空間を外部空間と仕切るシート材とを備え、シート材に切れ目状の開口部を形成し、シート材の開口縁部同士を止着部材により着脱可能に止着するようにしたブースにおいて、シート材の開口縁部の端部を相手側のシート材側に折り返し、該折り返したそれぞれの折り返し部の対向面同士を高さ方向に所定間隔をあけて接着又は溶着するとともに、折り返した折り返し片同士を止着部材により止着するようにしたことを特徴とするブース。
【請求項３】
シート材の折り返し片の端部及び折り返し部にそれぞれ余端を残して止着部材を配設したことを特徴とする請求項１又は２記載のブース。
【請求項４】
シート材の折り返し部の対向面同士を高さ方向に所定間隔をあけて接着又は溶着したことを特徴とする請求項１又は３記載のブース。
【請求項５】
折り返し片を、１枚のシート材の側縁部を折曲することによって形成するようにしたことを特徴とする請求項１、２、３又は４記載のブース。
【請求項６】
折り返し片を、１枚のシート材の側縁部に、別のシート材を接着又は溶着することによって形成するようにしたことを特徴とする請求項１、２、３又は４記載のブース。
【発明の詳細な説明】
【技術分野】
【０００１】
本発明は、ブースに関し、特に、フレームの周囲にブース空間を外部空間と仕切るシート材を配設するようにしたブースに関するものである。
【背景技術】
【０００２】
従来、例えば、電子部品の組立等の各種作業を、清浄な雰囲気の下で行ったり、所定の温度条件の雰囲気の下で行うことができるようにするため、フレームと、フレームの周囲に配設されブース空間を外部空間と仕切るシート材とを備えたブース、より具体的には、限られた必要箇所のみを清浄な雰囲気に保持するもの（クリーンブース）、所定の温度条件の雰囲気に保持するもの（温調用ブース）、さらには、両方の機能を有するもの（温調用クリーンブース）等が汎用されている。
【０００３】
このブースは、フレームと、フレームの周囲に配設されブース空間を外部空間と仕切るシート材とに加え、必要に応じて、フィルタや温調機を備え、ブース空間に浄化空気や所定の温度の空気を導入するようにしている。より具体的には、例えば、温調用クリーンブースの場合、天板内にフィルタを収納するとともに、天板下面には空気噴出孔を形成し、使用に際してはフレームの側面を取り囲んでシート材を取り付け、外部空間の空気を吸引し、温調機により所定温度にした後、フィルタにより濾過して浄化空気とし、浄化空気を噴出孔から下降流としてブース空間内に吹き出すようにし、ブース空間を清浄で、かつ所定の温度条件の雰囲気に保持されるようにしている。
【０００４】
ところで、上記従来のブースは、通常、ブース空間を外部空間と仕切るシート材３として合成樹脂製のシートを用い、図５に示すように、この合成樹脂製のシート材３の側縁部のブース内側をフレーム２の支柱２１に面ファスナー等の止着部材４により着脱可能に止着し、出入口にするようにしている。
面ファスナー等の止着部材４は、ブースを入退出した後にシート材３を支柱２１に止着するものであり、図５（ｂ）に示すように、作業者がブースの外側に居てシート材３を支柱２１に止着する場合は、シート材３を支柱２１に押し付けるだけであるから止着操作を問題なく行うことができる。ところが、１人の作業者がブースの内側に居てシート材３を支柱２１に止着する場合は、シート材３に手掛かりとなる部分が全くないためシート材３の支柱２１への止着ができないという問題があった。
【０００５】
また、この種のブースにおいては、図５に示すように、シート材３の適宜箇所に切れ目状の開口部（出入口）５を形成し、シート材３の開口縁部同士を面ファスナー等の止着部材４により着脱可能に止着するようにしている。
しかしながら、シート材３の開口縁部同士を止着部材４により着脱するためには、図６に示すように、シート材３の開口縁部同士をブースの外側と内側の両側から押圧したり、引き剥がすようにする必要があるが、作業者が１人の場合にはこの方法を用いることができず、シート材３の開口縁部同士の止着部材４による着脱ができないという問題があった。
【発明の開示】
【発明が解決しようとする課題】
【０００６】
本発明は、上記従来のブースが有する問題点に鑑み、シート材をブースの内側からでも支柱に容易に止着できるようにすることにより、ブースへの入退出作業時間を短縮するとともに、シート材の支柱への確実な止着によりブースの密閉性を高め、また、シート材の耐久時間も延ばすことができるブースを提供することを第１の目的とする。
【０００７】
また、本発明は、作業者が１人の場合でも、シート材の開口縁部同士を止着部材により容易に着脱できるようにすることにより、ブースへの入退出作業時間を短縮するとともに、シート材の開口縁部同士の確実な止着によりブースの密閉性を高め、また、シート材の耐久時間も延ばすことができるブースを提供することを第２の目的とする。
【課題を解決するための手段】
【０００８】
上記第１の目的を達成するため、本第１発明のブースは、フレームと、該フレームの周囲に配設されブース空間を外部空間と仕切るシート材とを備え、シート材の側縁部のブース内側をフレームの支柱に止着部材により着脱可能に止着するようにしたブースにおいて、シート材の側縁部の端部をブース内側に折り返し、該折り返した折り返し片を止着部材によりフレームの支柱に止着するようにしたことを特徴とする。
【０００９】
また、上記第２の目的を達成するため、本第２発明のブースは、フレームと、該フレームの周囲に配設されブース空間を外部空間と仕切るシート材とを備え、シート材に切れ目状の開口部を形成し、シート材の開口縁部同士を止着部材により着脱可能に止着するようにしたブースにおいて、シート材の開口縁部の端部を相手側のシート材側に折り返し、該折り返したそれぞれの折り返し部の対向面同士を高さ方向に所定間隔をあけて接着又は溶着するとともに、折り返した折り返し片同士を止着部材により止着するようにしたことを特徴とする。
【００１０】
この場合において、シート材の折り返し片の端部及び折り返し部にそれぞれ余端を残して止着部材を配設することができる。
【００１１】
また、シート材の折り返し部の対向面同士を高さ方向に所定間隔をあけて接着又は溶着することができる。
【００１２】
また、折り返し片を、１枚のシート材の側縁部を折曲することによって形成したり、１枚のシート材の側縁部に、別のシート材を接着又は溶着することによって形成することができる。
【発明の効果】
【００１３】
本第１発明のブースによれば、フレームと、該フレームの周囲に配設されブース空間を外部空間と仕切るシート材とを備え、シート材の側縁部のブース内側をフレームの支柱に止着部材により着脱可能に止着するようにしたブースにおいて、シート材の側縁部の端部をブース内側に折り返し、該折り返した折り返し片を止着部材によりフレームの支柱に止着することにより、作業者が１人の場合でも、シート材の折り返しの内面側に手を入れて押し付け操作することによって、シート材をブースの内側からでも支柱に容易に止着することができ、これにより、ブースへの入退出作業時間を短縮するとともに、シート材の支柱への確実な止着によりブースの密閉性を高め、また、シート材の耐久時間も延ばすことができる。
【００１４】
また、本第２発明のブースによれば、フレームと、該フレームの周囲に配設されブース空間を外部空間と仕切るシート材とを備え、シート材に切れ目状の開口部を形成し、シート材の開口縁部同士を止着部材により着脱可能に止着するようにしたブースにおいて、シート材の開口縁部の端部を相手側のシート材側に折り返し、該折り返したそれぞれの折り返し部の対向面同士を高さ方向に所定間隔をあけて接着又は溶着するとともに、折り返した折り返し片同士を止着部材により止着することにより、作業者が１人の場合でも、シート材の折り返しの内面側に手を入れてはさみ操作することによって、シート材の開口縁部同士を止着部材により容易に着脱することができ、これにより、ブースへの入退出作業時間を短縮するとともに、シート材の開口縁部同士の確実な止着によりブースの密閉性を高め、また、シート材の耐久時間も延ばすことができる。
【００１５】
また、シート材の折り返し片の端部及び折り返し部にそれぞれ余端を残して止着部材を配設することにより、この余端を掴み代とすることができる。
【００１６】
また、シート材の折り返し部の対向面同士を高さ方向に所定間隔をあけて接着又は溶着することにより、シート材の折り返し部が保形される（折り返し状態が維持される）ので止着操作を容易かつ迅速に行うことができる。
【００１７】
また、折り返し片を、１枚のシート材の側縁部を折曲することによって形成したり、１枚のシート材の側縁部に、別のシート材を接着又は溶着することによって形成することにより、シート材の製造の自由度を高めることができる。
【発明を実施するための最良の形態】
【００１８】
以下、本発明のブースの実施の形態を、図面に基づいて説明する。
【実施例１】
【００１９】
図１〜図２に、本発明のブースの一実施例を示す。
このブースは、クリーンブース、温調用ブース、温調用クリーンブース等の各種ブースとして用いられるもので、天板（図示省略）を支持するフレーム２と、このフレーム２の周囲に配設され、ブース空間１を外部空間と仕切るシート材３とを備え、シート材３の側縁部のブース内側をフレーム２の支柱２１に面ファスナーからなる止着部材４により着脱可能に止着するようにしている。
【００２０】
そして、このブースは、シート材３の側縁部の端部３１をブース内側に折り返し、この折り返した折り返し片３０を止着部材４によりフレーム２の支柱２１に止着するようにしている。
【００２１】
ブースは、ブース空間１に温調機（図示省略）から所定温度の空気をダクトを介して導入するようにしたもので、ブース空間１に所定温度の浄化空気を導入するために、天板にはＨＥＰＡフィルタ等のフィルタ及び吸気ファン（図示省略）を備えている。
フレーム２は、４本の四角柱の支柱２１と、この支柱２１に差し渡された４本の梁（図示省略）とを備え、直方体状のブースを区画している。
【００２２】
シート材３は、ブースの４つ側面に配設される４枚の合成樹脂製のシートからなり、各々の上部は天板に固定されている。
【００２３】
そして、シート材３の側縁部の端部３１をブース内側に折り返した折り返し片３０のブース内側には、面ファスナーからなる止着部材４の一方が全高に亘って配設されるとともに、フレーム２の支柱２１には、このシート材３の面ファスナーからなる止着部材４と対応する位置に面ファスナーからなる止着部材４の他方が全高に亘って配設されている。
【００２４】
この場合、止着部材４は、シート材３の折り返し片３０の端部３１及び折り返し部３２にそれぞれ余端を残して配設するようにしている。
これにより、この余端を掴み代とすることができるようにしている。
【００２５】
また、図１（ｃ）に示すように、シート材３の折り返し部３２の対向面同士を高さ方向に所定間隔をあけて直接（又は必要に応じて、シート材３とは別部材からなる継ぎ片（図示省略）を介在させて）接着又は溶着するようにしている。
これにより、シート材の折り返し部が保形される（折り返し状態が維持される）ので止着操作を容易かつ迅速に行うことができる。
【００２６】
この場合、シート材３の接着又は溶着の軌跡３３が、折り返し部３２から折り返し片３０の端部３１側へ下り傾斜となるようにすることにより、ごみの溜まりを抑制することができる。
なお、接着又は溶着の軌跡３３は、水平線とすることもできる。
【００２７】
ところで、本実施例のブースのシート材３においては、折り返し片３０を、１枚のシート材３の側縁部を折曲することによって形成するようにしているが、図３に示す変形実施例のように、折り返し片３０を、１枚のシート材３の側縁部に、別のシート材３Ａを接着又は溶着することによって形成することもでき、これにより、シート材の製造の自由度を高めることができる。
【００２８】
また、本実施例のブースにおいては、図１（ａ）に示すように、シート材３の適宜箇所に切れ目状の開口部（出入口）５を形成し、シート材３の開口縁部同士を面ファスナー等の止着部材４により着脱可能に止着するようにしている。
より具体的には、図２に示すように、シート材３の開口縁部の端部３５ａ、３５ｂを相手側のシート材３側に折り返し、この折り返したそれぞれの折り返し部３６ａ、３６ｂの対向面同士を高さ方向に所定間隔をあけて直接（又は必要に応じて、シート材３とは別部材からなる継ぎ片（図示省略）を介在させて）接着又は溶着するとともに、折り返した折り返し片３４ａ、３４ｂ同士を止着部材４により止着するようにしている。
そして、シート材３の開口縁部同士を止着部材４により着脱する場合には、作業者が１人の場合でも、シート材３の折り返しの内面側に手を入れて、一方側から押圧する（図２は、ブースの外側からはさみ操作する場合と、内側からはさみ操作する場合の両方について図示している。）ことによって、作業者が１人の場合でも、シート材３の開口縁部同士を止着部材４により容易に着脱することができ、従来のように、シート材３の開口縁部同士をブースの外側と内側の両側から押圧したり、引き剥がすようにする必要がない。
これにより、ブースへの入退出作業時間を短縮するとともに、シート材３の開口縁部同士の確実な止着によりブースの密閉性を高め、また、シート材３の耐久時間も延ばすことができる。
なお、その他のシート材３の開口縁部の具体的な構成及び作用、例えば、シート材３の折り返し片３４ａ、３４ｂの端部３５ａ、３５ｂ及び折り返し部３６ａ、３６ｂにそれぞれ余端を残して止着部材４を配設することや、シート材３の接着又は溶着の軌跡３７ａ、３７ｂが、折り返し部３６ａ、３６ｂから折り返し片３４ａ、３４ｂの端部３５ａ、３５ｂ側へ下り傾斜となるようにすること等は、シート材３の側縁部の構成及び作用と同様である。
【００２９】
なお、本実施例のブースにおいては、すべての（４枚のシートで構成した）シート材３の各々の側縁部の端部３１をブース内側に折り返し、この折り返した折り返し片３０を止着部材４によりフレーム２の支柱２１に止着するようにしているが、図４に示す変形実施例のように、シート材３（この変形実施例においては、シート材３を連続した１枚のシートで構成するようにしているが、複数枚のシートで構成することもできる。）の１つ（又は必要に応じて複数）の側縁部の端部３１のみをブース内側に折り返し、この折り返した折り返し片３０を止着部材４によりフレーム２の支柱２１に止着するようにして、出入口を形成することもできる。
【００３０】
かくして、本実施例のブースは、シート材３の側縁部の端部３１をブース内側に折り返し、該折り返した折り返し片３０を止着部材４によりフレーム２の支柱２１に止着することにより、作業者が１人の場合でも、シート材３の折り返しの内面側に手を入れて押し付け操作することによって、シート材３をブースの内側からでも支柱２１に容易に止着することができ、これにより、ブースへの入退出作業時間を短縮するとともに、シート材３の支柱２１への確実な止着によりブースの密閉性を高め、また、シート材３の耐久時間も延ばすことができる。
【００３１】
また、シート材３の開口縁部の端部３５ａ、３５ｂを相手側のシート材３側に折り返し、該折り返した折り返し片３４ａ、３４ｂ同士を止着部材４により止着することにより、作業者が１人の場合でも、シート材３の折り返しの内面側に手を入れてはさみ操作することによって、シート材３の開口縁部同士を止着部材４により容易に着脱することができ、これにより、ブースへの入退出作業時間を短縮するとともに、シート材３の開口縁部同士の確実な止着によりブースの密閉性を高め、また、シート材３の耐久時間も延ばすことができる。
【００３２】
そして、シート材３の折り返し片３０、３４ａ、３４ｂの端部３１、３５ａ、３５ｂ及び折り返し部３２、３６ａ、３６ｂにそれぞれ余端を残して止着部材４を配設することにより、この余端を掴み代とすることができる。
【００３３】
また、シート材３の折り返し部３２、３６ａ、３６ｂの対向面同士を高さ方向に所定間隔をあけて接着又は溶着することにより、シート材３の折り返し部３２、３６ａ、３６ｂが保形される（折り返し状態が維持される）ので止着操作を容易かつ迅速に行うことができる。
【００３４】
また、上記接着又は溶着の軌跡３３、３７ａ、３７ｂが、折り返し部３２、３６ａ、３６ｂから折り返し片３０、３４ａ、３４ｂの端部３１、３５ａ、３５ｂ側へ下り傾斜となるようにすることにより、ごみの溜まりを抑制することができる。
【００３５】
また、折り返し片３０、３４ａ、３４ｂを、１枚のシート材３の側縁部を折曲することによって形成したり、１枚のシート材３の側縁部に、別のシート材３Ａを接着又は溶着することによって形成することにより、シート材の製造の自由度を高めることができる。
【００３６】
以上、本発明のブースについて、その実施例に基づいて説明したが、本発明は上記実施例に記載した構成に限定されるものではなく、例えば、シート材の側縁部の構成を、シート材の開口縁部に適用したり、止着部材として面ファスナー以外にゴム磁石等を使用し得る等、その趣旨を逸脱しない範囲において適宜その構成を変更することができる。
【産業上の利用可能性】
【００３７】
本発明のブースは、シート材をブースの内側からでも支柱に容易に止着できたり、作業者が１人の場合でも、シート材の開口縁部同士を止着部材により容易に着脱できることから、フレームの周囲にブース空間を外部空間と仕切るシート材を配設するようにしたクリーンブース、温調用ブース、温調用クリーンブース等の各種ブースに広く用いることができる。
【図面の簡単な説明】
【００３８】
【図１】本発明のブースの一実施例を示し、（ａ）はその平面断面図、（ｂ）は（ａ）の要部拡大図、（ｃ）は（ａ）のＡ−Ａ線矢視図である。
【図２】同ブースのシート材の開口縁部を示し、（ａ）はその平面要部拡大断面図、（ｂ）は図１（ｃ）に対応する図である。
【図３】本発明のブースの変形実施例を示す平面要部拡大断面図（図１（ｂ）に対応する図）である。
【図４】本発明のブースの変形実施例を示し、（ａ）はその平面断面図、（ｂ）は（ａ）の要部拡大図である。
【図５】従来のブースを示し、（ａ）はその断面平面図、（ｂ）は（ａ）の要部拡大図である。
【図６】同ブースのシート材の開口縁部を示す平面要部拡大断面図である。
【符号の説明】
【００３９】
１    ブース空間
２    フレーム
２１  支柱
３    シート材
３Ａ  シート材
３０  折り返し片
３１  側縁部の端部
３２  折り返し部
３３  接着又は溶着の軌跡
３４ａ、３４ｂ  折り返し片
３５ａ、３５ｂ  側縁部の端部
３６ａ、３６ｂ  折り返し部
３７ａ、３７ｂ  接着又は溶着の軌跡
４    止着部材
５    開口部
【図１】
0004549304.tif 000002
【図２】
0004549304.tif 000003
【図３】
0004549304.tif 000004
【図４】
0004549304.tif 000005
【図５】
0004549304.tif 000006
【図６】
0004549304.tif 000007